(57)【特許請求の範囲】
【請求項１】
パンチボディを上下動自在に内装したパンチガイドの上部にリテーナカラーを設け、このリテーナカラーと一体的に設けたスプリングカラー内に上下動自在にのみ設けられたパンチヘッドと前記リテーナカラーとの間に、上記パンチヘッドを上方向へ付勢する付勢手段を設けると共に、上記パンチヘッドの上方向への移動を規制自在の昇降規制部を前記スプリングカラーに設け、前記パンチヘッドと前記パンチボディの上端部とを相対的に上下調節可能に螺合して設け、前記パンチヘッドを前記パンチボディに対して相対的に回転するために前記リテーナカラーを前記パンチガイドに回動可能かつ固定自在に設けたことを特徴とする金型装置。
【請求項２】
下端部にパンチ刃部（７）を備えたパンチボディ（９）を上下動自在に嵌入支持したパンチガイド（３）の上部にリテーナカラー（１３）を着脱可能かつ回転可能に備え、前記パンチボディ（９）の上端部に上下調節可能に螺着したパンチヘッド（２１）と前記リテーナカラー（１３）との間にストリッパスプリング（２３）を弾装して備え、前記パンチヘッド（２１）の上方向への移動を規制するためのスプリングカラー（１５）の下端部を前記リテーナカラー（１３）に固定して設けると共に前記パンチヘッド（２１）と前記スプリングカラー（１５）との相対的な回転を規制して設け、前記パンチボディ（９）と前記パンチヘッド（２１）との螺合関係を調節してハイト調整を行うために、径方向に移動自在に設けた押しボタン（２９）の径方向への移動によって前記パンチガイド（３）に対して前記リテーナカラー（１３）を相対的に回転可能な状態又は回転を阻止した固定状態になる構成であることを特徴とする金型装置。
【発明の詳細な説明】
【技術分野】
【０００１】
本発明は、例えばタレットパンチプレスなどのごときパンチプレスに装着して使用される金型装置に係り、さらに詳細には、パンチボディを上下動自在に嵌入支持したパンチガイドの下端部にストリッパプレートを着脱自在に備えた金型装置であって、上記パンチガイドとストリッパプレートとの間に僅かのガタ付きもない金型装置に関し、またハイト調整を工具を用いることなく容易に行い得る金型装置に関する。
【背景技術】
【０００２】
例えばタレットパンチプレスのごときパンチプレスにおけるパンチホルダ（上部タレット）に装着して使用される金型装置としてのパンチ金型は、上記パンチホルダに上下動自在に支持される円筒形状のパンチガイド内に、下端部にパンチ刃部を備えたパンチボディを上下動自在に嵌入支持し、上記パンチガイドの上部に装着したリテーナカラーと前記パンチボディの上端部に螺着したパンチヘッドとの間に強力なストリッパスプリングを弾装した構成である。そして、パンチガイドの下端部に、前記パンチ刃部の断面形状に対応した形状の穴を形成したストリッパプレートを備えた構成である。
【発明の概要】
【発明が解決しようとする課題】
【０００３】
パンチガイドの下端部にストリッパプレートを着脱可能に備えた構成においては、パンチガイドに対して下方向から嵌合装着する形式と、パンチガイドの下端部に形成した横方向（パンチガイドの軸心に対して直交する方向）のガイド部に対してストリッパプレートを横方向から着脱する形式とがある。
【０００４】
パンチガイドに対してストリッパプレートを下方向から嵌合着脱する形式においては、ストリッパプレートとパンチガイドとの嵌合状態が比較的強固であり、かつ上下方向に僅かの間隙もないように密着されるので望ましいものである。
【０００５】
しかし、パンチガイドの下端部に形成した横方向のガイド部に対してストリッパプレートを横方向から着脱する形式においては、パンチガイドとストリッパプレートとの間に上下方向の微小間隙が存在し、パンチガイドの上下動時に上記微小間隙の存在による異常音を発生すると共に、パンチボディの下端部に備えたパンチ刃部の周囲とストリッパプレートの穴周面との間の微小間隙からオイルミスト等の流体を噴出せしめようとするとき、上記流体がパンチガイドとストリッパプレートとの間の微小間隙から逃げ易く、前記流体を効果的に噴出できないことがあるという問題があった。
【０００６】
ところで、ハイト調整を行い得るパンチ金型としては、ストリッパースプリングの付勢力に影響されることなくハイト調整を行うことのできる金型が開発されており、その先行例として、例えば特開平１０−２４４３２７号公報がある。この先行例においては、ストリッパースプリングを内装したスプリングカラー内にパンチヘッドが埋設された態様であって、ハイト調整時には前記スプリングカラーからパンチヘッドを大きく突出せしめる必要があり、ハイト調整の操作が厄介であると共に、全体的構成が比較的複雑であるという問題がある。
【課題を解決するための手段】
【０００７】
本発明は前述のごとき問題に鑑みてなされたもので、パンチボディを上下動自在に内装したパンチガイドの上部にリテーナカラーを設け、このリテーナカラーと一体的に設けたスプリングカラー内に上下動自在にのみ設けられたパンチヘッドと前記リテーナカラーとの間に、上記パンチヘッドを上方向へ付勢する付勢手段を設けると共に、上記パンチヘッドの上方向への移動を規制自在の昇降規制部を前記スプリングカラーに設け、前記パンチヘッドと前記パンチボディの上端部とを相対的に上下調節可能に螺合して設け、前記パンチヘッドを前記パンチボディに対して相対的に回転するために前記リテーナカラーを前記パンチガイドに回動可能かつ固定自在に設けた構成である。
【０００８】
また、下端部にパンチ刃部（７）を備えたパンチボディ（９）を上下動自在に嵌入支持したパンチガイド（３）の上部にリテーナカラー（１３）を着脱可能かつ回転可能に備え、前記パンチボディ（９）の上端部に上下調節可能に螺着したパンチヘッド（２１）と前記リテーナカラー（１３）との間にストリッパスプリング（２３）を弾装して備え、前記パンチヘッド（２１）の上方向への移動を規制するためのスプリングカラー（１５）の下端部を前記リテーナカラー（１３）に固定して設けると共に前記パンチヘッド（２１）と前記スプリングカラー（１５）との相対的な回転を規制して設け、前記パンチボディ（９）と前記パンチヘッド（２１）との螺合関係を調節してハイト調整を行うために、径方向に移動自在に設けた押しボタン（２９）の径方向への移動によって前記パンチガイド（３）に対して前記リテーナカラー（１３）を相対的に回転可能な状態又は回転を阻止した固定状態になる構成であることを特徴とするものである。
【発明の効果】
【０００９】
本発明によれば、比較的簡単な構成であって簡単な操作によってハイト調整を容易に行うことができる。
【図面の簡単な説明】
【００１０】
【図１】本発明の一実施の形態に係る金型装置の断面説明図である。
【図２】本発明の一実施の形態に係る金型装置の主要部分の拡大断面説明図である。
【図３】パンチガイドに対するストリッパホルダの取付構造を示す断面説明図である。
【図４】パンチガイドに対するストリッパホルダの取付構造を示す側面説明図である。
【図５】パンチガイドに対するストリッパホルダの取付構造を示す底面説明図である。
【発明を実施するための形態】
【００１１】
図１を参照するに、本発明の一実施の形態に係る金型装置１において、パンチヘッドがストライカによって打圧され、最下降した状態が示されている。上記金型装置１は、例えばタレットパンチプレスにおける上部タレット等のごときパンチホルダ（図示省略）に上下動自在に支持される円筒形状のパンチガイド３を備えており、このパンチガイド３内には、上記パンチガイド３の下端部に備えたストリッパプレート５を貫通する下端部にパンチ刃部７を備えたパンチボディ９が上下動自在に嵌入支持されている。
【００１２】
上記パンチガイド３の上部には、例えばオーリングのごとき止め具１１を介してリテーナカラー１３が着脱可能かつ回転可能に取付けてあり、リテーナカラー１３には円筒形状のスプリングカラー１５の下端部が止め具１７を介して嵌合固定してある。そして、上記スプリングカラー１５とリテーナカラー１３はピン１９等を介して相対的に回転しないように一体的に固定されている。
【００１３】
そして、前記リテーナカラー１３を上下動自在に貫通して上方向に延伸したパンチボディ９の上端部にはパンチヘッド２１が上下調節可能に螺着してあり、このパンチヘッド２１と前記リテーナカラー１３との間には強力なストリッパスプリング２３が弾装してある。上記パンチヘッド２１には、前記スプリングカラー１５に設けた上下方向の長孔２５に上下動自在に係合した係止ピン２７が設けてあって、パンチヘッド２１とスプリングカラー１５との相対的な回転を規制してある。
【００１４】
付勢手段としての前記ストリッパスプリング２３の付勢力によるパンチヘッド２１の上方向への移動を規制するために、スプリングカラー１５の上端部内周面には昇降規制部としての環状の段差部１５Ａが形成してある。そして、前記パンチヘッド２１に備えたフランジ部２１Ｆが上記段差部１５Ａに当接することによって上昇が規制されるものである。
【００１５】
前記パンチボディ９とパンチヘッド２１との螺合関係を調節してハイト調整を行うために、前記パンチガイド３の上端部に備えたフランジ３Ｆの部分には、図２に示すように、押しボタン２９が径方向（図２においては左右方向）に移動自在に設けられている。この押しボタン２９は弾装したコイルスプリングのごとき弾性部材３１によって外方向へ押圧付勢されているが、上記押しボタン２９を上下に貫通したストッパピン３３の下端部がパンチガイド３に形成した径方向の溝３５に係合していることにより、抜け出るようなことはないものである。
【００１６】
前記ストッパピン３３の上端部は、前記リテーナカラー１３の下面に形成した周溝３７と、この周溝３７の外側に所定ピッチで円周方向に形成した複数の係合凹部３９とに交互に係合するように設けられており、常態においては、弾性部材３１の作用によって押しボタン２９が外方向に押圧されてストッパピン３３の上端部は上記係合凹部３９に係合した状態にあり、パンチガイド３に対するリテーナカラー１３の回転を阻止した固定状態にある。
【００１７】
上記構成において、パンチヘッド２１のフランジ部２１Ｆがスプリングカラー１５の段差部１５Ａに当接した状態にあるときに、弾性部材３１の付勢力に抗して押しボタン２９を内方向へ押圧し、ストッパピン３３の上端部を係合凹部３９から離脱して内側の周溝３７の位置に位置せしめると、パンチガイド３に対してリテーナカラー１３を相対的に回転可能になる。
【００１８】
したがって、上述のごとき状態においてパンチガイド３に対してリテーナカラー１３を回転すると、スプリングカラー１５及び係止ピン２７を介してパンチヘッド２１がパンチボディ９に対して相対的に回転されることとなり、パンチボディ９とパンチヘッド２１との螺合状態が調節されることになる。すなわち、パンチヘッド２１に対してパンチボディ９を相対的に上下に調節できることとなり、ハイト調整が行われ得るものである。この際、ストリッパースプリング２３の付勢力はスプリングカラー１５の段差部１５Ａでもって受けているので、上記付勢力に影響されることなく、パンチボディ９に対してパンチヘッド２１を軽く回動することができるものである。
【００１９】
上述のごとくパンチヘッド２１を回転調節した後、押しボタン２９の押圧を解除すると、弾性部材３１の付勢力によって押しボタン２９が外方向に移動されて、ストッパピン３３の上端部は別個の係合凹部３９に係合して、前記リテーナカラー１３の相対的な回転を阻止する状態となる。
【００２０】
すなわち、上記構成により、工具を用いることなしにハイト調整（パンチヘッドの上面からパンチボディ９におけるパンチ刃部７までの寸法の調節）を行い得ることは勿論のこと、パンチヘッド２１あるいはスプリングカラー１５を上下方向に操作する必要がなく、その構成が比較的簡単であると共に操作が容易なものである。
【００２１】
前記パンチボディ９には、従来のパンチボディと同様に、パンチガイド３に形成したキー溝に係合したキー４１が設けられていると共に、前記パンチヘッド２１を打圧自在のストライカ４３に形成した流体孔（図示省略）と連通する流体孔４５が形成してある。この流体孔４５は、前記ストライカ４３から供給されるオイルミスト等の流体を前記パンチガイド３の下端部に導き、前記パンチ刃部７の周囲から前記流体を噴出せしめるべく作用するものである。
【００２２】
前記パンチガイド３の下端部には、前記ストリッパプレート５を横方向（パンチガイドの軸心に対して直交する方向）に着脱自在に支持する円筒形状のストリッパホルダ４７が上下動自在に装着されている。上記ストリッパホルダ４７を上下動するために、上記ストリッパホルダ４７の複数箇所には、パンチガイド３の下端部に水平に突設した複数のガイドピン４９と係合したガイド孔５１が形成してある。このガイド孔５１は、図４に示すように、水平な上部孔５１Ａと下部孔５１Ｂとを傾斜部でもって接続した構成である。
【００２３】
したがって、上記ガイド孔５１の下部孔５１Ｂにガイドピン４９を係合した状態においては、パンチガイド３に対してストリッパホルダ４７が上昇した状態にあり、ガイドピン４９が上部孔５１Ａに係合するようにストリッパホルダ４７を相対的に回動すると、パンチガイド３に対してストリッパホルダ４７は相対的に下降されることになる。
【００２４】
上記ストリッパホルダ４７に対してストリッパプレート５を水平方向に着脱するために、ストリッパホルダ４７には、ストリッパプレート５の周面に形成した周溝５Ｇと係脱自在の凸条部５３を内周面に備えており、かつ図５に示すように、上記ストリッパプレート５の外径にほぼ等しい切欠部５５が水平に形成してある。
【００２５】
なお、上記ストリッパホルダ４７の方向性とストリッパプレート５の方向性とを常に等しく保持するために、ストリッパホルダ４７には位置決めピン５７が設けてあり、ストリッパプレート５には上記位置決めピン５７に着脱方向に係脱自在の係合凹部５９が形成してある。そして、前記パンチガイド３の下端部とストリッパプレート５との間の気密性を保持するために、パンチガイド３の下端部にはＯリングのごときシール部材６１が設けてある。
【００２６】
なお、前記パンチガイド３に対して前記ストリッパホルダ４７が所定の位置的関係を維持するように、パンチガイド３には、ストリッパホルダ４７に形成した複数の凹部に係合離脱自在のボールプランジャ６３（図３参照）が設けられている。
【００２７】
以上のごとき構成において、ストリッパスプリング２３の作用によってパンチボディ９が最上昇されてパンチヘッド２１のフランジ部２１Ｆがスプリングカラー１５の段差部１５Ａに当接し、かつパンチボディ９のパンチ刃部７がストリッパプレート５から上方向に抜けた状態にあるとき（図１には、ストライカ４３によって最下降された状態が示されている）、ストリッパホルダ４７のガイド孔５１における上部孔５１Ａにガイドピン４９が係合するようにストリッパホルダ４７を回動すると、パンチガイド３に対してストリッパホルダ４７は相対的に下降する。
【００２８】
この状態において、切欠部５５を経てストリッパホルダ４７に対してストリッパプレート５の着脱交換が水平方向に行われる。ストリッパホルダ４７にストリッパプレート５を装着した状態において、ガイドピン４９が下部孔５１Ｂに係合するようにストリッパホルダ４７を回動すると、パンチホルダ３に対してストリッパホルダ４７が相対的に上昇され、ストリッパプレート５がシール部材６１を押圧しパンチガイド３の下端部に密着される。
【００２９】
したがって、パンチガイド３の下端部とストリッパプレート５との間に微小間隙を生じるようなことがなく気密性が保持されると共に、パンチング加工時に僅かなガタ付き等に起因する異音を発生するようなことがなくなるものである。
【００３０】
なお、前述のごとく、パンチガイド３に対してストリッパホルダ４７を相対的に上昇，下降せしめたとき、ボールプランジャ６３の付勢力によってストリッパホルダ４７の固定状態が保持されて、上昇位置及び下降位置に保持されるものであって、安易に移動するようなことはないものである。
【符号の説明】
【００３１】
１  金型装置
３  パンチガイド
５  ストリッパプレート
７  パンチ刃部
９  パンチボディ
１３  リテーナカラー
１５  スプリングカラー
２１  パンチヘッド
２９  押しボタン
３３  ストッパピン
４７  ストリッパホルダ
４９  ガイドピン
５１  ガイド孔
５３  凸条部
５５  切欠部
６１  シール部材
【図１】
0004819928.tif 000002
【図２】
0004819928.tif 000003
【図３】
0004819928.tif 000004
【図４】
0004819928.tif 000005
【図５】
0004819928.tif 000006